(57)【要約】【課題】ダウンサイジングが可能な長尺状体巻取りリールの提供を図る。【解決手段】ケーシングに対して回動するロータ３０と、このロータ３０の外周側に設けられたフリーローラ２２と、内側に形成された内巻取り部２３とを備える。長尺状体は、内巻取り部２３の外周に一方向に巻き取られると共に、内巻取り部から伸びる上記の長尺状体が反転ローラ２１で反転してフリーローラ２２の外周に他方向に巻き取られてロータの外周へ引き出される。内巻取り部２３はロータ３０に対して回動可能に設けられ、この内巻取り部２３の回動軸がロータ３０の回動の中心軸１１と異なる位置に配位される。ロータ３０の回動と内巻取り部２３の回動とが逆方向で実質的に同一角速度となるように内巻取り部２３を回動させる内巻取り部回動装置を備える。【選択図】図１
2011051660.tif 000002
【特許請求の範囲】
【請求項１】
基体に対して回動するロータと、このロータの外周側に設けられた外巻取り部と、このロータの内周側であって上記の外巻取り部の内側に形成された内巻取り部とを備え、長尺状体が内巻取り部の外周に一方向に巻き取られると共に、内巻取り部から伸びる上記の長尺状体が反転して外巻取り部の外周に他方向に巻き取られてロータの外周へ引き出される長尺状体巻取りリールにおいて、
上記の内巻取り部は上記のロータに対して回動可能に設けられ、この内巻取り部の回動軸が上記のロータの回動の中心軸と異なる位置に配位され、
ロータに対して内巻取り部を相対的に回動させる内巻取り部回動装置を備えたことを特徴とする長尺状体巻取りリール。
【請求項２】
上記の内巻取り部回動装置は、上記のロータの回動の回動方向と逆方向に内巻取り部を回動させるものであることを特徴とする請求項１記載の長尺状体巻取りリール。
【請求項３】
上記の外巻取り部と上記の内巻取り部との間に上記の長尺状体を反転させる反転ローラがロータに対して回動可能に設けられ、
上記の外巻取り部の半径が、上記の反転ローラの直径と上記の内巻取り部の半径との和よりも小さいことを特徴とする請求項１又は２記載の長尺状体巻取りリール。
【請求項４】
上記の外巻取り部は、複数のフリーローラと反転ローラとが間隔を空けて環状に配置されたものであり、
上記の内巻取り部に巻回された長尺状体は反転ローラの外周にて反転され、反転ローラに巻回されることによって、内巻取り部における長尺状体の巻取り方向と巻回方向と外巻取り部における長尺状体の巻取り方向とが逆方向となるものであり、
上記の長尺状体は、内部に金属線を備えた電源・通信用のコードであり、上記のロータを一回転方向に付勢するゼンマイバネを備え、このゼンマイバネの弾性によってロータを回転させることにより上記のコードを巻き取るものであることを特徴とする請求項１〜３の何れかに記載の長尺状体巻取りリール。
【請求項５】
内巻取り部には複数周のコードが同巻き取り部の半径方向に重なるように巻回されるものであり、外巻取り部には複数周のコードが同巻き取り部の軸方向に重なるように巻回されるものであることを特徴とする請求項１〜４の何れかに記載の長尺状体巻取りリール。
【発明の詳細な説明】
【技術分野】
【０００１】
本願発明は、長尺状体巻取りリールに関するものである。ここで、長尺状体とは、電源コード、通信用ケーブルの他、水や空気の等の流体を流すホースや、糸や紐や金属線などを含む。
【背景技術】
【０００２】
従来より、電気や通信用のコードやケーブルを巻き取るために、コードリールが広く用いられている。このコードリールは、巻取りのロータ側に接続されて回転する回転側のコードと、ケーシング等の固定側に設けられるコードとを分離し、接点によって電気的に接続のみを行う接点式と、上記の両者のコードを分離せずに実質的に一連のコードを用いる無接点式とに大別される。
【０００３】
特許文献１、２に示すように、無接点式について、外巻取り部と内巻取り部との２つの巻取り部を備えたものが提案されている。このリールは、中心軸を中心に回動するロータと、このロータの外周側に設けられた外巻取り部と、このロータの上記の中心軸と同軸に形成された内巻取り用ローラとを備え、長尺状体が内巻取り部の外周に一方向に巻き取られると共に、内巻取り部から伸びる上記の長尺状体が反転ローラを経由することにより外巻取り部の外周に他方向に巻き取られてロータの外周へ引き出されるようにしたものである。内巻取り用ローラと反転用ローラとは、その半径を大きく設定する方が、コードを極端に歪曲する必要がなく、コードへの負担が小さく、操作も円滑となる。ところが、内巻取り用ローラをロータの中心に配位した場合、その外周を反転用ローラがロータに取り付けられた状態で回転する構造となるため、これらが占有する部分は、内巻取り用ローラの半径と反転用ローラの直径との和よりも大きな半径を備えた円となる。即ち、装置の小型化を図ったとしても、この円の面積は、最低限、必要になってしまう。
【０００４】
【特許文献１】特開平１２−１２６１４５号公報
【特許文献２】特開２００４−３２８９８５号公報
【発明の開示】
【発明が解決しようとする課題】
【０００５】
本願発明は、中心軸を中心に回動するロータと、このロータの外周側に設けられた外巻取り部と、このロータの内周側であって上記の外巻取り部の内側に形成された内巻取り部とを備え、長尺状体が内巻取り部の外周に一方向に巻き取られると共に、内巻取り部から伸びる上記の長尺状体が反転して外巻取り部の外周に他方向に巻き取られてロータの外周へ引き出される長尺状体巻取りリールにおいて、リールの小型化を図ることを目的とする。
【課題を解決するための手段】
【０００６】
本願の請求項１に係る発明は、基体に対して回動するロータと、このロータの外周側に設けられた外巻取り部と、このロータの内周側であって上記の外巻取り部の内側に形成された内巻取り部とを備え、長尺状体が内巻取り部の外周に一方向に巻き取られると共に、内巻取り部から伸びる上記の長尺状体が反転して外巻取り部の外周に他方向に巻き取られてロータの外周へ引き出される長尺状体巻取りリールにおいて、上記の内巻取り部は上記のロータに対して回動可能に設けられ、この内巻取り部の回動軸が上記のロータの回動の中心軸と異なる位置に配位され、ロータに対して内巻取り部を相対的に回動させる内巻取り部回動装置を備えたことを特徴とする長尺状体巻取りリールを提供する。
本願の請求項２に係る発明は、上記の内巻取り部回動装置は、上記のロータの回動の回動方向と逆方向に内巻取り部を回動させるものであることを特徴とする請求項１記載の長尺状体巻取りリールを提供する。
本願の請求項３に係る発明は、上記の外巻取り部と上記の内巻取り部との間に上記の長尺状体を反転させる反転ローラがロータに対して回動可能に設けられ、上記の外巻取り部の半径が、上記の反転ローラの直径と上記の内巻取り部の半径との和よりも小さいことを特徴とする請求項１又は２記載の長尺状体巻取りリールを提供する。
本願の請求項４に係る発明は、上記の外巻取り部は、複数のフリーローラと反転ローラとが間隔を空けて環状に配置されたものであり、上記の内巻取り部に巻回された長尺状体は反転ローラの外周にて反転され、反転ローラに巻回されることによって、内巻取り部における長尺状体の巻取り方向と巻回方向と外巻取り部における長尺状体の巻取り方向とが逆方向となるものであり、上記の長尺状体は、内部に金属線を備えた電源・通信用のコードであり、上記のロータを一回転方向に付勢するゼンマイバネを備え、このゼンマイバネの弾性によってロータを回転させることにより上記のコードを巻き取るものであることを特徴とする請求項１〜３の何れかに記載の長尺状体巻取りリールを提供する。
本願の請求項５に係る発明は、内巻取り部には複数周のコードが同巻き取り部の半径方向に重なるように巻回されるものであり、外巻取り部には複数周のコードが同巻き取り部の軸方向に重なるように巻回されるものであることを特徴とする請求項１〜４の何れかに記載の長尺状体巻取りリールを提供する。
【発明の効果】
【０００７】
本願発明は、中心軸を中心に回動するロータと、このロータの外周側に設けられた外巻取り部と、このロータの内周側であって上記の外巻取り部の内側に形成された内巻取り部とを備え、長尺状体が内巻取り部の外周に一方向に巻き取られると共に、内巻取り部から伸びる上記の長尺状体が反転して外巻取り部の外周に他方向に巻き取られてロータの外周へ引き出される長尺状体巻取りリールにおいて、内巻取り用部の中心をロータの回転の中心軸上に配置する必要がなくなったため、設計の自由度が高まり、装置の小型化も可能となる長尺状体巻取りリール装置を提供することができたものである。
【発明を実施するための最良の形態】
【０００８】
以下、図面に基づき本願発明の実施の形態を説明する。
図１は第１の実施の形態にかかるリール装置の平面図、図２は同側面からみた構造説明図である。
【０００９】
この実施の形態にかかるコードリールは、支持軸１１を中心に回動する円盤状のロータ３０と、このロータ３０の上面における外周側に設けられた反転ローラ２１及びフリーローラ２２と、このロータ３０の内周側に形成された内巻取り部２３とを備える。このロータ３０は基体としてのケーシング５１に対して回動可能に配置されれるもので、この例では図２に示すように支持軸１１へ嵌挿される嵌挿孔３１を中心部に備え、この嵌挿孔３１がケーシング５１の支持軸１１に嵌挿されることにより、ロータ３０がケーシング５１内に回動自在に収納される。
【００１０】
反転ローラ２１とフリーローラ２２は、外巻取り部を構成するもので、略環状に（より望ましくは反転ローラ２１とフリーローラ２２とが正多角形の頂点に位置するように）配列されており、その外周面にコード１２が巻回される。この反転ローラ２１及びフリーローラ２２は、ロータ３０上面に設けられた軸によって自由に回転可能に設けられたものである。この反転ローラ２１及びフリーローラ２２は、必ずしも回転するものでなくてもよく、摩擦係数の低い素材によって構成された環状の壁面としてもよいが、コード１２がその外周を滑り移動するため、回転可能なものとすることがコード１２の繰り出し巻き戻しを円滑にしてコード１２の寿命を伸ばすにも有利である。
【００１１】
反転ローラ２１及びフリーローラ２２の個数は、反転ローラ２１は１個、フリーローラ２２は２個以上を設けて、これらが多角形の頂点を構成するものであればよい。反転ローラ２１及びフリーローラ２２を設ける間隔は、等しくすることが望ましいが、必ずしも等しく設定する必要はない。
【００１２】
反転ローラ２１の半径はフリーローラ２２の半径と等しく設定することもできるが、フリーローラ２２よりも大きく設定することが望ましい。これは、内巻取り部２３外周に巻囲されるコード１２の巻囲方向が、反転ローラ２１にて反転されて反転ローラ２１及びフリーローラ２２の外周に巻囲されるものであるため、内巻取り部２３と匹敵するほどの十分に大きな径として実施しておくことが、円滑な巻取り巻き戻しとコード寿命の点から望ましい。他方、フリーローラ２２は摩擦抵抗を小さくするためにローラを採用したもので、ダウンサイジングの観点から比較的小さなものとして実施することができる。
【００１３】
内巻取り部２３は、平面視円形をなし、その円の中心に回動軸２５を備え、この回動軸２５によってロータ３０に対して回転可能に設けられている。この回動軸２５は、ロータ３０の支持軸１１とは異なる位置に設けられている。この内巻取り部２３には、これと同体に回転するように内巻取り部歯車２６が設けられており、この内巻取り部歯車２６は、中間歯車２７を介して、ロータ歯車２８に歯合している。内巻取り部歯車２６はロータ３０の上面に回動可能に設けられている。ロータ歯車２８は支持軸１１（ひいてはケーシング５１）と一体に設けられたものであり、回動するロータ３０に反して固定状態にある。この内巻取り部歯車２６とロータ歯車２８とは、その歯車の数は同一に設定されているため、同一の回転数で回転し、且つ、一つの中間歯車２７を介して接続されているため、同一方向に回動する関係となる。
【００１４】
即ち、内巻取り部歯車２６、中間歯車２７、ロータ歯車２８が特許請求の範囲に言う内巻取り部回動装置となるものであり、ロータ歯車２８は、その中心軸がロータ３０の中心軸に一致してケーシング５１（基体）と一体とされおり、内巻取り部歯車２６は、その中心軸が内巻取り部２３の中心軸に一致して内巻取り部２３に一体とされており、中間歯車２７は上記の両歯車２８、２６との間に設けられ回転力を伝達するものである。その結果、ロータ３０が反時計回りに回転すると、ケーシング５１と一体に設けられたロータ歯車２８は回転しない（ロータ３０に対して相対的に時計回りに回転する）。中間歯車２７はロータ歯車２８と歯合しつつ、反時計回り回転する。内巻取り部歯車２６は中間歯車２７と歯合しつつ、時計回りに回転し、内巻取り部歯車２６と同体の内巻取り部２３も時計回りに回転する。
【００１５】
ここで、ロータ歯車２８と内巻取り部歯車２６とのギア比で、内巻取り部歯車２６（ひいては内巻取り部２３）のロータ３０に対する相対的な回転速度が決まる。この例では、両者のギア比は実質的に等しく設定されていることによって、ロータ３０と内巻取り部２３とは逆方向に実質的に同一角速度で回転することとなる。
内巻取り部回動装置としては、ギアの他、チェーンによる伝達構造、タイミングベルトによる伝達構造など、機械的又は電気的に同調して内巻取り部２３をロータ３０に対して相対的に逆回転させる手段であれば、適宜変更して実施し得る。特に、ロータ３０と内巻取り部２３とは逆方向に実質的に同一角速度で回転するようにすることにより、ロータ３０が支持軸１１を中心に回転しても、内巻取り部２３は自転せずに、ロータ３０の回転に伴って、支持軸１１を中心に回転移動するだけである。その結果、コード１２にねじれが生ずるおそれを解消できる。この内巻取り部回動装置は、ロータ３０の上面側に設ければよいが、コード１２等との接触を防止するために、ロータ３０に凹部を形成して、この凹部内に配置したり、ロータ３０を２重構造として、２重構造の内部に収納するようにしてもよい。
上記のように、内巻取り部２３は、ロータ３０の回転方向と逆方向に実質的に同一角速度で回転させることが望ましいが、コード１２のねじれを緩和することが出来、使用に際して支承が生じないものであれば、必ずしも同一角速度で回転させる必要は無い。特に、コードの滑り具合などで、内外の巻取り部の巻取り両が若干異なる場合があり、このような場合には、両者の回転速度を完全に同一とせず、若干調整することが望ましい。
このように、コードのねじれを防止するのは、コードを切断することなく一連の連続したものとして無接点のコードリールとして実施する際に特に重要であるが、接点を有するコードリールとして実施することを妨げるものではない。その場合には、ケーシング５１から導出される付近で、コード１２をケーシング内外で分断し、回転しても接続を維持することができる接点で分断したコード１２同士を電気的に接続するようにすればよい。
【００１６】
この内巻取り部２３には、コード１２の固定部２４が形成される。この固定部２４は、コード１２の基端寄りを内巻取り部２３に固定しておくもので、内巻取り部２３の外周部分からその内部にコード１２を導き入れて固定する。図２に示すように、コード１２のさらに基端側は、内巻取り部２３の中央部から上方へ導き出されケーシング５１に設けられた電源接続部１３に接続される。この電源接続部１３は、種々の形態の端子として実施し得るもので、差し込みプラグに対して接続できるものであってもよく、ハンダやビス等による固定が可能な端子であってもよい。
【００１７】
固定部２４から導出されたコード１２は反転ローラ２１の周囲を巻回して反転し、前述したとおりフリーローラ２２の外周に巻回され、ケーシング５１に設けられた引き出し口１４から外部に引き出される。なお図示は略するが、この引き出し口１４の先端には差し込みプラグ等が接続される等、従来のコードリールと同様の先端部を構成する。
【００１８】
ここで、ロータ３０が支持軸１１を中心に１回転すると、支持軸１１を中心に内巻取り部２３も１回転することとなり、コード１２は、内巻取り部２３の外周と、外巻取り部（反転ローラ２１及びフリーローラ２２）の外周に、それぞれ１周が巻回される。さらにロータ３０の回転回数に応じて、両巻取り部への巻回回数がそれぞれ増えていくことになる。その際、両巻取り部への巻き数は、径方向に複数周のコード１２を重ねていくが（図２）、円滑なコード１２の巻取りや繰り出しを考慮すると図３、図４に示すように、軸方向に複数周のコード１２を重ねていく事が望ましい。
【００１９】
図３に示すように、軸方向に複数周のコード１２を重ねていく場合には、内巻取り部２３と外巻取り部（反転ローラ２１及びフリーローラ２２）のそれぞれを軸方向に複数本のコード１２が配位できるように、軸方向に長く形成する。望ましくは、内巻取り部２３とフリーローラ２２とのそれぞれには、コード１２を案内するための凹部３２、３３を形成しておく。この内巻取り部２３の凹部３２は、その外周面をらせん状に進むものとしておく。また、フリーローラ２２の凹部２４はフリーローラ２２群全体でらせん状に進むように徐々に高さを変化させておく。さらに望ましくは、凹部３２、３３と凹部３２、３３との間の凸部３４、３５は、十分に径方向に突出したものとしておき、軸方向に重ねられるコード１２同士が接触しないようにして、摩擦によってコード１２の表面が劣化することを防止する。但し、このような規制をせずに、巻き取りがコード１２の自由に任せて行われるようにしてもよい。
【００２０】
一周目の周回については、内巻取り部２３は固定部２４に近い上方側から巻取りがなされて周回を重ねるにしたがって下方へ重なるように周回がなされるのに対して、フリーローラ２２については、下方側から巻取りがなされて周回を重ねるにしたがって上方へ重なるように周回がなされる。
【００２１】
反転ローラ２１は、内巻取り部２３とフリーローラ２２との間をつなぐものとして、これに巻かれるコード１２は、上下位置が変化する。そのため、凹凸を反転ローラ１２に形成しておくと、コード１２の上下位置の変化を阻害してしまうことになり、その外周は平滑にしておくことが望ましい。
【００２２】
また、内巻取り部２３と外巻取り部（反転ローラ２１及びフリーローラ２２）の径方向には１本のみが配置されるように、内巻取り部２３の外側を取り囲むように間隔規制ローラ２９を配置すればよい。この間隔規制ローラ２９は、図４に示すようにケーシング５１側に支持させることが望ましい。また図示は省略するが、ローラ２９に変えて、ケーシング５１の壁面などの回転しないものを採用してもよい。
【００２３】
また、コード１２が軸方向高さを変化させながら円滑に導入されるように、引き出し口１４から外巻取り部への導入箇所に、移動ガイド４１を設けておいてもよい（図３参照）。この移動ガイド４１はギアやリンクによってロータ３０の回転にしたがって軸方向に移動するようにしたものなどが例示でき、より確実に軸方向に複数周のコード１２が重ねられるように案内するものである。
図７及び図８はこの移動ガイド４１の一例を示したもので、その一端には、コード１２の案内部４２が略半円状に設けられており、この案内部４２にコード１２を案内させて、引き出し口１４から外巻取り部への導入箇所に、導くものである。この移動ガイド４１は、平面視においてフリーローラ２２群が描く円と略等しい半径の円弧状をなしており、その内面側が複数のフリーローラ２２の凹部３３に係合して、案内されるものであり、正面視においては、上記のフリーローラ２２群全体で形成するコードのらせん状のリード角に等しい角度に形成されている（図８（Ｃ）において、ｙはフリーローラ２０の中心軸の方向、ｘはｙに直交する仮想平面を示すもので、移動ガイド４１は仮想平面ｘと上記リード角をもって交差している）。さらにこの移動ガイド４１は、外周側に軸方向の被案内部４３を備えている。この被案内部４３は、ケーシング５１に設けられた支柱４４によって案内され、上下動するように構成されている。これによって、フリーローラ２２を備えたロータ３０が支持軸１１を中心に回転すると、移動ガイド４１の内周面が順次フリーローラ２２の凹部３３によって送られて、支柱４４によって上下動する。これにより、コード１２はロータ３０の回転にしたがって軸方向に移動するように案内され、綺麗ならせんを描いて巻回され得るものである。
【００２４】
次に、図６は他の実施の形態を示すもので、この例では、内巻取り部２３は半径方向にコードを重ねて巻回し、外巻取り部（反転ローラ２１及びフリーローラ２２）には軸方向にコードを重ねて旋回するようにしたものである。また、図示は省略するが、これとは逆に、内巻取り部２３は軸方向にコードを重ねて巻回し、外巻取り部には半径方向にコードを重ねて旋回するようにしてもよい。なお、本願発明において、コード１２の長さは自由であり、内巻取り部２３と外巻取り部（反転ローラ２１及びフリーローラ２２）にそれぞれ１周以上複数周巻回されるものであってもよいが、逆にこれらを半周程度しか巻回しない短いものであってもよい。
【００２５】
以上のように、内巻取り部２３をロータ３０と同軸上に設けないことによるメリットの一つとして、装置の小型化を挙げることができるが、外巻取り部の半径（正確には、ロータ３０の中心からフリーローラ２２の外側までの距離）が、反転ローラ２１の直径と上記の内巻取り部２３の半径との和よりも小さい場合に、小型化の特徴があらわれる。外巻取り部の半径（正確には、ロータ３０の中心からフリーローラ２２の外側までの距離）が、反転ローラ２１の直径と上記の内巻取り部２３の半径との和よりも大きい場合には、内巻取り部２３とロータ３０とを同軸に設けた場合と、全体の大きさはほとんど変わらなくなる。
【００２６】
次に、ロータの回転駆動手段について説明する。この回転駆動手段は、一般のコードリールと同様のものを適宜選択して用いることができる。具体的には、ゼンマイバネなどのバネ、手動のハンドル、電動機などを例示できる。ゼンマイバネを用いた機構については、コードの引き出し時にゼンマイが巻き締められて力を蓄えた状態で一時停止し、この力を開放してコードの巻き取りを行うものが例示できるが、逆の場合であってもよい。ゼンマイの一時停止の構造としては、ラチェット機構を備えたもの（具体的には、ロータ３０の外周ラチェット歯を形成し、このラチェット歯と接近離反する係合子によってロータ３０の逆転を防止するものとし、この係合子をボタン操作などの手動でラチェット歯から開放させることによって、ロータ３０をゼンマイの力で回転させるもの）や、溝とストップレバーによる停止機構を備えたものを例示し得る。以下に、溝とストップレバーによる停止機構を備えたゼンマイバネによる回転構造を示す。
【００２７】
ロータ３０の下面側には、図２、図４に示すように径内側に配位されたゼンマイバネ３８と、径外側に配位されたストップレバー３７とが付設されている。ゼンマイバネ３８は、外周端がロータ３０に係止され、内周端が、支持軸１１に設けられたゼンマイバネ係止用溝１１ａに係止されている。これによりコード１２の引き出しによって、ロータ３０の時計方向側への回動に伴って巻き締められ、ロータ３０を付勢する。コード１２の引き出しを止めて自由状態とすると、ゼンマイバネ３８によってロータ３０を時計回りに回転させてコード１２を巻き取る。
【００２８】
ストップレバー３７は、基端側がロータ３０に回動自在に取り付けられ、先端下面に摺動片３７ａを備えており、ロータ３０の回動に伴って摺動片３７ａが、ケーシング５１の底壁５２における上面に設けられた図５に示す径内側の引き出し用溝５２ａ、径外側の引き戻し用溝５２ｂ、これらの間に形成された係止用溝５２ｃ、５２ｃを順次摺動するようになされている。
【００２９】
次に、このコードリールの作動について、簡単に説明する。まず、コード１２をケーシング５１から引っ張って引き出す。これにより、ロータ３０のストップレバー３７が底壁５２の引き出し用溝５２ａを摺動してロータ３０が時計方向側に回動し、この回動に伴ってコード１２がロータ３０から巻き解かれ、コード１２をケーシング５１から引き出すことができる。又、このコード１２の引き出しに伴うロータ３０の時計方向側への回動に際し、ゼンマイバネ３８が巻き締められてロータ３０を反時計方向側に付勢する。そして、コード１２の引き出しを止めると、ゼンマイバネ３８の付勢力によってロータ３０は反時計方向側に回動しようとするが、ストップレバー３７が引き出し用溝５２ａから係止用溝５２ｃに入り込んでロータ３０の回動が停止し、その状態を維持する。一方、この停止状態からコード１２をやや引き出すと、ストップレバー３７が係止用溝５２ｃから出て引き戻し用溝５２ｂに入る。そして、この状態で、引っ張り操作しているコード１２を離すと、ゼンマイバネ３８の付勢力によってロータ３０は反時計方向側に回動し始め、その回動に際してストップレバー３７が引き戻し用溝５２ｂを摺動してロータ３０は回動を続け、コード１２を巻回する。これにより、ケーシング５１から引き出したコード１２を、ケーシング５１内に引き戻すことができる。
【００３０】
以上、本願発明は請求項の記載に従い種々変更して実施することができるもので、たとえば、被巻取り物としてのコード１２は、電源コード、通信用コードの他、電気以外の水や空気の等の流体を流すホースや、糸や紐や金属線など、種々の長尺状体に変更して実施するができる。
【図面の簡単な説明】
【００３１】
【図１】第１の実施の形態にかかるリール装置の平面図。
【図２】同側面からみた構造説明図。
【図３】第２の実施の形態にかかるリール装置の平面図。
【図４】同側面からみた構造説明図であり（Ａ）は１周目の状態、（Ｂ）は５周目の状態を示す。
【図５】ケーシング底部の平面図。
【図６】第３の実施の形態にかかるリール装置の側面から見た説明図である。
【図７】移動ガイドの使用状態を示す斜視図である。
【図８】移動ガイドを示すもので、（Ａ）は斜視図、（Ｂ）は平面図、（Ｃ）は正面図である。
【符号の説明】
【００３２】
１１  支持軸
１２  コード
１３  電源接続部
１４  引き出し口
２１  反転ローラ
２２  フリーローラ
２３  内巻取り部
２４  固定部
２５  回動軸
２６  内巻取り部歯車
２７  中間歯車
２８  ロータ歯車
２９  間隔規制ローラ
３０  ロータ
３１  嵌挿孔
３２  凹部
３３  凹部
３４  凸部
３５  凸部
４１  移動ガイド
３７  ストップレバー
３８  ゼンマイバネ
５１  ケーシング
【図１】
2011051660.tif 000003
【図２】
2011051660.tif 000004
【図３】
2011051660.tif 000005
【図４】
2011051660.tif 000006
【図５】
2011051660.tif 000007
【図６】
2011051660.tif 000008
【図７】
2011051660.tif 000009
【図８】
2011051660.tif 000010